【手続補正書】
【提出日】平成19年10月31日(2007.10.31)
【手続補正１】
【補正対象書類名】特許請求の範囲
【補正対象項目名】全文
【補正方法】変更
【補正の内容】
【特許請求の範囲】
【請求項１】
暗号化／復号化プログラム及び暗号化／復号化データを復旧するための復旧プログラム及び復旧データが予め記憶されている記憶メディアにアクセスするアクセス手段と、
前記記憶メディアへの書き込みデータを暗号化し、前記記憶メディアから読み出した暗号化データを復号化する暗号化／復号化プログラム及び暗号化／復号化データが記憶された記憶手段と、
前記記憶手段に記憶された暗号化／復号化プログラム又は暗号化／復号化データが消失した場合に、前記記憶メディアから前記復旧プログラム及び復旧データを読み出し、この読み出した復旧プログラム及び復旧データに基づいて前記消失した暗号化／復号化プログラム又は暗号化／復号化データを前記記憶手段に復旧させる制御手段と、
を具備することを特徴とする情報処理装置。
【請求項２】
前記記憶メディアは、前記暗号化データが記憶された暗号化データ領域と、前記復旧プログラム及び復旧データが記憶された復旧領域と、前記暗号化データ領域及び復旧領域の開始位置を示した開始位置情報を記憶した予約領域とを有し、
前記制御手段は、前記予約領域に記憶された復旧領域の開始位置情報に基づいて前記復旧データ及び復旧プログラムを読み出すことを特徴とする請求項１記載の情報処理装置。
【請求項３】
前記予約領域に記憶された暗号化データ領域の開始位置情報は、前記暗号化／復号化プログラム及び暗号化／復号化データを介してのみ読み出し可能な形態で記憶されており、
前記制御手段は、前記暗号化／復号化プログラム及び暗号化／復号化データを介して前記暗号化データ領域の開始位置情報の読み出しが可能な際に、当該暗号化データ領域の開始位置情報に基づいて前記暗号化データを読み出し、前記暗号化／復号化プログラム及び暗号化／復号化データを介して前記暗号化データ領域の開始位置情報の読み出しが不可能な際に、前記復旧領域の開始位置情報に基づいて前記復旧データ及び復旧プログラムを読み出すことを特徴とする請求項２記載の情報処理装置。
【請求項４】
前記記憶メディアは、当該記憶メディアの正当なユーザであることを認証するための認証プログラム及び認証データが予め記憶され、
前記制御手段は、前記認証プログラム及び認証データに基づいて認証許可された場合にのみ、前記復旧プログラム及び復旧データを読み出すことを特徴とする請求項１〜３の何れか一項に記載の情報処理装置。
【請求項５】
前記認証プログラム及び認証データは、前記復旧領域に記憶されていることを特徴とする請求項４記載の情報処理装置。
【請求項６】
コンピュータを、
暗号化／復号化プログラム及び暗号化／復号化データを復旧するための復旧プログラム及び復旧データが予め記憶されている記憶メディアにアクセスするアクセス手段、
前記記憶メディアへの書き込みデータを暗号化し、前記記憶メディアから読み出した暗号化データを復号化する暗号化／復号化プログラム及び暗号化／復号化データを記憶手段に記憶させる記憶制御手段、
前記記憶手段に記憶された暗号化／復号化プログラム又は暗号化／復号化データが消失した場合に、前記記憶メディアから前記復旧プログラム及び復旧データを読み出し、この読み出した復旧プログラム及び復旧データに基づいて前記消失した暗号化／復号化プログラム又は暗号化／復号化データを前記記憶手段に復旧させる制御手段、
として機能させるためのプログラム。
【手続補正２】
【補正対象書類名】明細書
【補正対象項目名】発明の名称
【補正方法】変更
【補正の内容】
【発明の名称】情報処理装置及びプログラム
【手続補正３】
【補正対象書類名】明細書
【補正対象項目名】０００１
【補正方法】変更
【補正の内容】
【０００１】
本発明は、メモリカード等の情報記憶媒体に格納された暗号化データ領域に対し、所定の暗号化方式／復号化方式に基づいてアクセス可能な情報処理装置及びプログラムに関する。
【手続補正４】
【補正対象書類名】明細書
【補正対象項目名】００１５
【補正方法】変更
【補正の内容】
【００１５】
請求項１記載の発明は、暗号化／復号化プログラム及び暗号化／復号化データを復旧するための復旧プログラム及び復旧データが予め記憶されている記憶メディアにアクセスするアクセス手段と、前記記憶メディアへの書き込みデータを暗号化し、前記記憶メディアから読み出した暗号化データを復号化する暗号化／復号化プログラム及び暗号化／復号化データが記憶された記憶手段と、前記記憶手段に記憶された暗号化／復号化プログラム又は暗号化／復号化データが消失した場合に、前記記憶メディアから前記復旧プログラム及び復旧データを読み出し、この読み出した復旧プログラム及び復旧データに基づいて前記消失した暗号化／復号化プログラム又は暗号化／復号化データを前記記憶手段に復旧させる制御手段と、を具備することを特徴とする。
【手続補正５】
【補正対象書類名】明細書
【補正対象項目名】００１６
【補正方法】変更
【補正の内容】
【００１６】
請求項２記載の発明は、請求項１記載の発明において、前記記憶メディアは、前記暗号化データが記憶された暗号化データ領域と、前記復旧プログラム及び復旧データが記憶された復旧領域と、前記暗号化データ領域及び復旧領域の開始位置を示した開始位置情報を記憶した予約領域とを有し、前記制御手段は、前記予約領域に記憶された復旧領域の開始位置情報に基づいて前記復旧データ及び復旧プログラムを読み出すことを特徴とする。
【手続補正６】
【補正対象書類名】明細書
【補正対象項目名】００１７
【補正方法】変更
【補正の内容】
【００１７】
請求項３記載の発明は、請求項１記載の発明において、前記予約領域に記憶された暗号化データ領域の開始位置情報は、前記暗号化／復号化プログラム及び暗号化／復号化データを介してのみ読み出し可能な形態で記憶されており、前記制御手段は、前記暗号化／復号化プログラム及び暗号化／復号化データを介して前記暗号化データ領域の開始位置情報の読み出しが可能な際に、当該暗号化データ領域の開始位置情報に基づいて前記暗号化データを読み出し、前記暗号化／復号化プログラム及び暗号化／復号化データを介して前記暗号化データ領域の開始位置情報の読み出しが不可能な際に、前記復旧領域の開始位置情報に基づいて前記復旧データ及び復旧プログラムを読み出すことを特徴とする。
【手続補正７】
【補正対象書類名】明細書
【補正対象項目名】００１８
【補正方法】変更
【補正の内容】
【００１８】
請求項４記載の発明は、請求項１〜３の何れか一項に記載の発明において、前記記憶メディアは、当該記憶メディアの正当なユーザであることを認証するための認証プログラム及び認証データが予め記憶され、前記制御手段は、前記認証プログラム及び認証データに基づいて認証許可された場合にのみ、前記復旧プログラム及び復旧データを読み出すことを特徴とする。
【手続補正８】
【補正対象書類名】明細書
【補正対象項目名】００１９
【補正方法】変更
【補正の内容】
【００１９】
請求項５記載の発明は、請求項４記載の発明において、前記認証プログラム及び認証データは、前記復旧領域に記憶されていることを特徴とする。
【手続補正９】
【補正対象書類名】明細書
【補正対象項目名】００２０
【補正方法】変更
【補正の内容】
【００２０】
請求項６記載の発明は、コンピュータを、暗号化／復号化プログラム及び暗号化／復号化データを復旧するための復旧プログラム及び復旧データが予め記憶されている記憶メディアにアクセスするアクセス手段、前記記憶メディアへの書き込みデータを暗号化し、前記記憶メディアから読み出した暗号化データを復号化する暗号化／復号化プログラム及び暗号化／復号化データを記憶手段に記憶させる記憶制御手段、前記記憶手段に記憶された暗号化／復号化プログラム又は暗号化／復号化データが消失した場合に、前記記憶メディアから前記復旧プログラム及び復旧データを読み出し、この読み出した復旧プログラム及び復旧データに基づいて前記消失した暗号化／復号化プログラム又は暗号化／復号化データを前記記憶手段に復旧させる制御手段、として機能させることを特徴とする。